(57)【要約】【課題】模様物の和服に仕立てられる和服用反物を、消費仕入れ方式の商取引によらないで流通させ、在庫管理を容易に行えるようにした模様物の和服用反物の流通システムの提供。【解決手段】和服用反物１を供給する和服用反物供給者によって使用され、和服用反物１の一端から他端までの全体画像を読み込んで入力する反物用スキャナ６が接続された反物供給者装置２と、反物供給者装置２とインターネット５により接続され、反物供給者装置２から送信される和服用反物１の全体画像を受信してデータベース７に登録するデジタル倉庫装置３と、デジタル倉庫装置３のデータベース７から和服用反物１の全体画像を取得して表示するとともに、この和服用反物１から仕立てる模様物の和服を構成する各パーツの裁断パターンと、この裁断パターンに基づく各パーツの配置状態および模様の合せ状態とを構成し、仕立て上がり状態を画像化して表示する和服販売者装置４とを含む。【選択図】図１
2007226466.tif 000002
【特許請求の範囲】
【請求項１】
和服用反物を供給する和服用反物供給者によって使用され、前記和服用反物の一端から他端までの全体画像を読み込んで入力する反物用スキャナが接続された反物供給者装置と、
前記反物供給者装置と電気通信回線により接続され、前記反物供給者装置から送信される和服用反物の全体画像を受信してデータベースに登録し、管理するデジタル倉庫装置と、
前記デジタル倉庫装置のデータベースから和服用反物の全体画像を取得して表示するとともに、この和服用反物から仕立てる模様物の和服を構成する各パーツの裁断パターンと、この裁断パターンに基づく各パーツの配置状態および模様の合せ状態とを構成し、仕立て上がり状態を画像化して表示する和服販売者装置と
を含む模様物の和服用反物の流通システム。
【請求項２】
前記反物用スキャナは、前記和服用反物を挟持して送出するローラと、このローラの近傍で前記和服用反物の送出方向に対して直角な方向の映像を連続的に撮影することにより前記和服用反物の全体画像を読み込むカメラとを備えるものである請求項１記載の模様物の和服用反物の流通システム。
【請求項３】
前記和服販売者装置は、
前記和服用反物から仕立てる和服を構成する各パーツの裁断パターンおよび前記各パーツの前記和服用反物上への初期配置状態を記憶する初期情報記憶手段と、
前記和服の諸寸法を入力する寸法入力手段と、
前記和服用反物の全体画像を表示する反物画像表示手段と、
前記初期情報記憶手段から前記各パーツの裁断パターンを読み出して前記入力された諸寸法に応じて変形し、前記初期情報記憶手段から読み出した初期配置状態に従って前記和服用反物の全体画像上に配置するパーツ配置手段と、
前記和服用反物の全体画像上の前記各パーツの配置状態を記憶する配置情報記憶手段と、
この配置情報記憶手段から読み出した和服用反物の全体画像上の前記各パーツの配置状態に基づいて、前記各パーツの模様の合せ状態を演算する合せ状態演算手段と、
この合せ状態演算手段により演算した模様の合せ状態の画像を表示する合せ画像表示手段と、
前記和服用反物の全体画像上の前記各パーツの配置状態を修正する配置修正手段と
を有するものである請求項１または２に記載の模様物の和服用反物の流通システム。
【発明の詳細な説明】
【技術分野】
【０００１】
本発明は、振袖模様、江戸褄模様、訪問着（付下模様）、絵羽羽織、絵羽長じゅばんや絵羽コートなどの模様物の和服用反物の流通システムに関する。
【背景技術】
【０００２】
本発明者は、特許文献１において、和装に仕立てる反物の縫製前の印付け作業を行うための和裁用印付け装置を開示している。この和裁用印付け装置では、例えば、振袖模様、江戸褄模様、訪問着（付下模様）、絵羽羽織、絵羽長じゅばんや絵羽コートなど、縫目を通して模様が連続するように付けられた、いわゆる模様物（絵羽模様）の和服を仕立てる際の印付け作業を容易に行うことが可能となっている。
【０００３】
このような模様物の和服に仕立てられる和服用反物は、一部の量産品を除いて一品ずつ職人により手作りされる。そのため、和服用反物に同じ柄のものはほとんど存在しない。そのため、和服用反物は、和服業界独特の委託販売の一種である、いわゆる「消費仕入れ」といった商取引が行われている。「消費仕入れ」とは、小売店が問屋から商品（和服用反物）を預かり、売れた分（消費分）だけを事後に仕入れ（支払い）する方式の商取引である。
【０００４】
このように和服用反物は、メーカーから産地問屋へ、産地問屋から前売問屋へ、前売問屋から小売店へ委託されており、返品も頻繁に行われる。そのため、返品リスク、在庫リスクが非常に大きく、その分のコストが消費者の価格に転嫁されることになる。また、このように和服用反物は販売するのではなく、委託を繰り返していくので、在庫管理が非常に煩雑である。また、このように流通過程で何度も委託と返品が繰り返され、古くなった和服用反物は大半が廃棄されている。
【０００５】
ところで、和服以外の通常の衣服のイージーオーダー販売において、コンピュータを使った電子カタログを利用し、衣服のできあがり状態を確認しながら衣服のデザインや生地などの仕様を決定するシステムが、例えば特許文献２，３に開示されている。これらのシステムでは、生地情報として生地コード、生地名、色、柄等を登録してキーワード検索可能にしている。また、このシステムでは、生地画像ファイルとしてテクスチャマップ画像を登録しておき、このテクスチャマップ画像を衣服の３次元形状の表面に繰り返し貼り付けること（テクスチャマッピング）により衣服のできあがり状態を確認可能としている。
【０００６】
【特許文献１】特開２００４−３５３１４４号公報
【特許文献２】特開２０００−１８７６８３号公報
【特許文献３】特開２０００−２４６６０２号公報
【発明の開示】
【発明が解決しようとする課題】
【０００７】
和服以外の通常の衣服に使用される反物は、通常、工場で大量生産され、品質上の同一性を期待できるロット単位で管理されている。このようなロット単位で管理される反物の柄は、所定パターンの柄が繰り返し配置されたものであるため、特許文献２，３に記載のようにテクスチャマップ画像により管理でき、衣服のできあがり状態を確認することが可能である。
【０００８】
一方、前述のように模様物の和服の場合、１３ｍ程度の長さの和服用反物が一品ずつ職人により手作りされ、同じ柄のものは存在しないため、特許文献２，３に記載のようにロット単位で管理することは不可能である。また、模様物の和服では、縫製した際に縫目を通して柄が合うように柄合せをする必要があるため、テクスチャマップ画像により管理したり、衣服のできあがり状態を確認したりすることが不可能である。
【０００９】
そこで、本発明においては、模様物の和服に仕立てられる和服用反物を、消費仕入れ方式の商取引によらないで流通させ、在庫管理を容易に行えるようにした模様物の和服用反物の流通システムを提供することを目的とする。
【課題を解決するための手段】
【００１０】
本発明の模様物の和服用反物の流通システムは、和服用反物を供給する和服用反物供給者によって使用され、和服用反物の一端から他端までの全体画像を読み込んで入力する反物用スキャナが接続された反物供給者装置と、反物供給者装置と電気通信回線により接続され、反物供給者装置から送信される和服用反物の全体画像を受信してデータベースに登録し、管理するデジタル倉庫装置と、デジタル倉庫装置のデータベースから和服用反物の全体画像を取得して表示するとともに、この和服用反物から仕立てる模様物の和服を構成する各パーツの裁断パターンと、この裁断パターンに基づく各パーツの配置状態および模様の合せ状態とを構成し、仕立て上がり状態を画像化して表示する和服販売者装置とを含むものである。
【００１１】
本発明の模様物の和服用反物の流通システムによれば、和服用反物を供給する和服用反物供給者が、供給する和服用反物について、一端から他端までの全体画像を反物用スキャナにより読み込んで反物供給者装置に入力し、電気通信回線を通じてこの入力した和服用反物の全体画像をデジタル倉庫装置に送信してデータベースに登録しておく。和服販売者は、和服販売者装置により、このデジタル倉庫装置のデータベースから和服用反物の全体画像を取得して表示するとともに、この和服用反物から仕立てる模様物の和服を構成する各パーツの裁断パターンと、この裁断パターンに基づく各パーツの配置状態および模様の合せ状態とを構成し、仕立て上がり状態を画像化して表示することができる。
【００１２】
ここで、反物用スキャナは、和服用反物を挟持して送出するローラと、このローラの近傍で和服用反物の送出方向に対して直角な方向の映像を連続的に撮影することにより和服用反物の全体画像を読み込むカメラとを備えるものであることが望ましい。これにより、巻かれた和服用反物の端辺をローラにより挟持して送出することにより、１３ｍ程度の長さの和服用反物の全体画像を反物供給者装置に読み込んで、デジタル倉庫装置のデータベースに登録することができる。
【００１３】
また、和服販売者装置は、和服用反物から仕立てる和服を構成する各パーツの裁断パターンおよび各パーツの和服用反物上への初期配置状態を記憶する初期情報記憶手段と、和服の諸寸法を入力する寸法入力手段と、和服用反物の全体画像を表示する反物画像表示手段と、初期情報記憶手段から各パーツの裁断パターンを読み出して入力された諸寸法に応じて変形し、初期情報記憶手段から読み出した初期配置状態に従って和服用反物の全体画像上に配置するパーツ配置手段と、和服用反物の全体画像上の各パーツの配置状態を記憶する配置情報記憶手段と、この配置情報記憶手段から読み出した和服用反物の全体画像上の各パーツの配置状態に基づいて、各パーツの模様の合せ状態を演算する合せ状態演算手段と、この合せ状態演算手段により演算した模様の合せ状態の画像を表示する合せ画像表示手段と、和服用反物の全体画像上の各パーツの配置状態を修正する配置修正手段とを有するものであることが望ましい。
【００１４】
これにより、寸法入力手段により入力された和服の諸寸法に応じて、初期情報記憶手段に記憶された和服の各パーツの裁断パターンが変形され、初期情報記憶手段に記憶された各パーツの初期配置状態に従ってこの和服用反物が全体画像上に配置されるとともに、この反物画像上の各パーツの配置状態に基づいて、各パーツの合せ状態が構成され、和服の仕立て上がり状態が画像化される。ここで、配置修正手段により和服用反物の全体画像上の各パーツが修正されると、その修正された各パーツの配置状態に基づいて各パーツの合せ状態が更新され、和服の仕立て上がり状態の画像に反映される。
【発明の効果】
【００１５】
（１）本発明によれば、和服用反物を供給する和服用反物供給者が、供給する和服用反物について、一端から他端までの全体画像を反物用スキャナにより読み込んで反物供給者装置に入力し、電気通信回線を通じてこの入力した和服用反物の全体画像をデジタル倉庫装置に送信してデータベースに登録しておくだけで良く、実際の和服用反物を委託する消費仕入れ方式の商取引を行う必要がない。また、和服用反物の全体画像が和服販売者装置により表示されるので、従来のように１３ｍ程度の長さがある巻かれた和服用反物を解いて消費者に見せる必要がなく、また再度巻き戻す必要がない。また、和服販売者は、和服販売者装置により、この和服用反物から仕立てる模様物の和服を構成する各パーツの裁断パターンと、この裁断パターンに基づく各パーツの配置状態および模様の合せ状態とを構成し、仕立て上がり状態を画像化して表示することができるので、縫製した際に縫目を通して柄が合うように柄合せをする必要がある模様物の和服の仕立て上がり状態を見ながら多くの和服用反物を短時間で参照して選ぶことが可能となる。
【００１６】
（２）反物用スキャナが、和服用反物を挟持して送出するローラと、このローラの近傍で和服用反物の送出方向に対して直角な方向の映像を連続的に撮影することにより和服用反物の全体画像を読み込むカメラとを備えることにより、１３ｍ程度の長さの和服用反物の一端から他端までの全体画像を省スペースで読み込んで、デジタル倉庫装置のデータベースに登録することが可能となる。
【００１７】
（３）着用者によって異なる和服の諸寸法に応じて、和服の各パーツの初期の裁断パターンが変形され、各パーツの初期配置状態に従ってこの和服用反物が全体画像上に配置されるとともに、この全体画像上の各パーツの配置状態に基づいて、各パーツの合せ状態が構成され、和服の仕立て上がり状態が画像化されるので、同じ和服用反物であっても着用者によって変化する模様物の和服の合せ状態を確認しながら和服用反物を選ぶことが可能となる。また、和服用反物の全体画像上の各パーツを修正すると、その修正された各パーツの配置状態に基づいて各パーツの合せ状態が更新され、和服の仕立て上がり状態の画像に反映されるので、さらに合せ状態を変化させながら和服用反物を選ぶことが可能となる。
【発明を実施するための最良の形態】
【００１８】
図１は本発明の実施の形態における模様物の和服用反物の流通システムの全体構成図である。図１において、本発明の実施の形態における模様物の和服用反物の流通システムは、和服用反物１を供給するメーカー、産地問屋や前売問屋等の和服用反物供給者の工場や倉庫等に設置され、和服用反物供給者によって使用される反物供給者装置２と、和服用反物１の全体画像を含む反物情報を蓄積するデータベースを有するデジタル倉庫装置３と、消費者に対して和服用反物１およびこの和服用反物１により仕立てた和服の販売等を行う和服販売者の店舗等に設置され、和服販売者によって使用される和服販売者装置４とを含む。反物供給者装置２、デジタル倉庫装置３および和服販売者装置４は、電気通信回線としてのインターネット５により接続されている。
【００１９】
反物供給者装置２には、和服用反物１の柄を含む全体画像を読み込んで入力する反物用スキャナ６が接続されている。図２は反物用スキャナ６の斜視図である。図２に示すように、反物用スキャナ６は、フレーム６０に軸支された一対のローラ６１ａ，６１ｂと、このローラ６１ａ，６１ｂを回転駆動するモータ６２と、和服用反物１を撮影するカメラ６３とを備える。なお、この反物供給者装置２のフレーム６０には、反物供給者装置２としてのコンピュータ６４が搭載されている。
【００２０】
ローラ６１ａ，６１ｂは、和服用反物１を挟持して送出するものであり、カメラ６３は、このローラ６１ａ，６１ｂの近傍で和服用反物１の送出方向に対して直角な方向、すなわちローラ６１ａ，６１ｂの軸方向の映像を連続的に撮影することにより和服用反物１の一端から他端までの全体画像を読み込むものである。図２のＡで示す部分は、カメラ６３の撮影範囲（視野）を示している。
【００２１】
和服用反物１は、振袖模様、江戸褄模様、訪問着（付下模様）、絵羽羽織、絵羽長じゅばんや絵羽コートなどの模様物の和服を１着分仕立てるのに必要な用尺をもつ布地であり、職人により一品ずつ手作りされたものである。和服用反物１は、仕立てる和服の種類に応じて幅および長さが異なるが、一般的に幅３６〜４０ｃｍ程度、長さ１３ｍ前後程度である。
【００２２】
反物供給者装置２は、この反物用スキャナ６により読み込んで入力した和服用反物１の一端から他端までの全体画像を、インターネット５を通じてデジタル倉庫装置３に送信し、データベース７に登録する機能を有する。また、反物供給者装置２は、この登録する和服用反物１に卸価格、小売価格、コメント等の反物情報を入力する機能を有し、この入力した反物情報を、各和服用反物１の反物画像とともにデジタル倉庫装置３に送信し、データベース７に登録することができる。
【００２３】
デジタル倉庫装置３は、この反物供給者装置２から送信される和服用反物１の全体画像および反物情報を受信してデータベース７に登録し、管理するものである。また、デジタル倉庫装置３では、このデータベース７に登録し、管理する和服用反物１を検索しやすいように、柄や色等のキーワードを付加することが可能である。
【００２４】
和服販売者装置４は、入力されたキーワード等に基づいてデジタル倉庫装置３のデータベース７から該当する和服用反物１の全体画像および反物情報を取得して表示する機能を有するコンピュータである。また、和服販売者装置４は、選択された和服用反物１から仕立てる模様物の和服を構成する各パーツの裁断パターンと、この裁断パターンに基づく各パーツの配置状態および模様の合せ状態とを構成し、仕立て上がり状態を画像化して表示する機能を有する。
【００２５】
図３は和服販売者装置４の詳細な構成を示すブロック図である。図３に示すように、和服販売者装置４は、初期情報記憶手段１１、寸法入力手段１２、反物画像表示手段１３、パーツ配置手段１４、配置情報記憶手段１５、合せ状態演算手段１６、合せ画像表示手段１７および配置修正手段１８を有する。
【００２６】
初期情報記憶手段１１は、和服用反物１から仕立てる和服を構成する各パーツの裁断パターンおよび各パーツの和服用反物１上への初期配置状態を記憶するものである。図４は和服を構成する各パーツの和服用反物１上への初期配置状態を示している。なお、本実施形態においては、初期情報記憶手段１１は、和服の種類に応じた各パーツのひな形となる裁断パターンをそれぞれ記憶している。また、これらの和服の種類に応じた各パーツの裁断パターンは、バーコードに関連付けて初期情報記憶手段１１に記憶されている。
【００２７】
ここで、和服の種類とは、長着、じゅばん、コート、雨コート、リバーシブル、羽織、男物、男物じゅばん、男物羽織、帯等である。和服を構成する各パーツとは、例えば和服の種類が長着の場合、図４に示すように、掛衿２１、衿２２、左おくみ２３、右おくみ２４、左見頃２５（左前身頃２５ａ、左肩部分２５ｂ、左後身頃２５ｃ）、右見頃２６（右前身頃２６ａ、右肩部分２６ｂ、右後見頃２６ｃ）、右袖２７および左袖２８である。各パーツの裁断パターンは、これらの各パーツの形状およびそれらの基本寸法からなる。
【００２８】
寸法入力手段１２は、仕立てる和服の種類に応じて消費者の体型や和服の各部等の諸寸法をキーボード等の入力装置（図示せず。）から入力するものである。なお、本実施形態の和裁用印付け装置においては、仕立てる和服の種類の指定をバーコード読取装置１９によるバーコードの読み取りによって指定することが可能である。
【００２９】
図５は寸法入力手段１２の例を示している。和服の種類に関わらない共通の寸法入力項目としては、身丈、そで丈、ゆき、そで巾、そでつけ、まえ巾、うしろ巾、だき巾、つま下、および、くりこしがある。また、和服の種類に応じて寸法を入力する項目としては、例えば長着の場合、かた巾、脇出し、脇出し下、かたあき、衿まわり、ひきおろし、丈調整、まえ巾、おとし、おとしまわり、ななめ丈、おくみ巾、あいづま巾、身八つ、八掛丈、おくみ八掛丈、衿八掛丈、背ぬい、うら背ぬい、袖ぬい代、八掛背ぬい、スマート、衿巾、掛衿丈、すそふき、おくみぬい代、袖丸み、長袖丸み、袖口左ぬい代、袖口右ぬい代、つま下ぬい代左、および、つま下ぬい代右がある。
【００３０】
反物画像表示手段１３は、デジタル倉庫装置３のデータベース７に登録されている和服用反物１の画像を表示装置（図示せず。）に表示するものである（図４参照。）。
【００３１】
パーツ配置手段１４は、指定された種類の和服に対応する各パーツの裁断パターンを初期情報記憶手段１１から読み出して、これを寸法入力手段１２により入力された諸寸法に応じて変形し、初期情報記憶手段１１から読み出した初期配置状態に従って反物画像上に配置するものである（図４参照。）。
【００３２】
配置情報記憶手段１５は、反物画像上の各パーツの配置状態を記憶するものである。各パーツの配置状態は、前述のパーツ配置手段１４による配置や、後述の配置修正手段１８による修正の結果生じた状態である。
【００３３】
合せ状態演算手段１６は、配置情報記憶手段１５から読み出した反物画像上の各パーツの配置状態に基づいて、各パーツの合せ状態を演算するものである。合せ状態は、反物画像上の各パーツの配置状態が決まれば、各パーツの配置状態に基づいてその反物から仕立て上がりの和服が決定されることから、一義的に決まるものである。
【００３４】
合せ画像表示手段１７は、図６に示すように、合せ状態演算手段１６により演算した合せ状態の画像（正面画像３１・背面画像３２）を表示するものである。このように合せ画像表示手段１７により表示された合せ状態の画像により、模様物の和服の正面および背面それぞれの柄の合せ状態を確認することができる。また、図示しないが、合せ画像表示手段１７は、合せ状態演算手段１６により演算した結果に基づいて、仕立て上がり状態を三次元画像化して表示することも可能である。
【００３５】
配置修正手段１８は、反物画像上の各パーツの配置状態をポインティングデバイス等の入力装置（図示せず。）を用いて修正するものである。この配置修正手段１８により修正した結果は、リアルタイムに配置情報記憶手段１５、合せ状態演算手段１６および合せ画像表示手段１７へと反映される。
【００３６】
上記構成の模様物の和服用反物の流通システムによれば、図１に示すように、和服用反物１を供給する和服用反物供給者が、供給する和服用反物１について、一端から他端までの全体画像を反物用スキャナ６により読み込んで反物供給者装置２に入力し、インターネット５を通じてこの入力した和服用反物１の全体画像をデジタル倉庫装置３に送信してデータベース７に登録しておく。そして、和服販売者は、和服販売者装置４により、このデジタル倉庫装置３のデータベース７から和服用反物１の全体画像を取得して表示するとともに、この和服用反物１から仕立てる模様物の和服を構成する各パーツの裁断パターンと、この裁断パターンに基づく各パーツの配置状態および模様の合せ状態とを構成し、仕立て上がり状態を画像化して表示する。
【００３７】
これにより、和服販売者は、縫製した際に縫目を通して柄が合うように柄合せをする必要がある模様物の和服の仕立て上がり状態を消費者に見せながら、和服用反物１を販売することができ、消費者は模様物の和服の仕立て上がり状態を見ながら多くの和服用反物を短時間で参照して選ぶことが可能である。
【００３８】
また、この模様物の和服用反物の流通システムでは、和服用反物１を供給する和服用反物供給者が、供給する和服用反物１について、一端から他端までの全体画像を反物用スキャナ６により読み込んで反物供給者装置２に入力し、インターネット５を通じてこの入力した和服用反物１の全体画像をデジタル倉庫装置３に送信してデータベース７に登録しておくだけで良く、実際の和服用反物を委託する消費仕入れ方式の商取引を行う必要がなくなる。そのため、返品リスク、在庫リスクを減らすことができ、消費者に対して低コストで和服用反物１を提供することができる。
【００３９】
また、このシステムでは、和服用反物１の全体画像が和服販売者装置４により表示されるので、従来のように１３ｍ程度の長さがある巻かれた和服用反物１を解いて消費者に見せる必要がなく、また再度巻き戻す必要もないので、和服用反物１が汚れたり、痛んだりすることがない。
【００４０】
また、このシステムでは、反物用スキャナ６が、和服用反物１を挟持して送出するローラ６１ａ，６１ｂと、このローラ６１ａ，６１ｂの近傍で和服用反物１の送出方向に対して直角な方向の映像を連続的に撮影することにより和服用反物１の全体画像を読み込むカメラ６３とを備える構成であるため、１３ｍ程度の長さの和服用反物１の一端から他端までの全体画像を省スペースで読み込んで、デジタル倉庫装置３のデータベース７に登録することが可能である。
【００４１】
また、本実施形態における流通システムでは、着用者によって異なる和服の諸寸法に応じて、和服の各パーツの初期の裁断パターンが変形され、各パーツの初期配置状態に従ってこの和服用反物１が全体画像上に配置されるとともに、この全体画像上の各パーツの配置状態に基づいて、各パーツの合せ状態が構成され、和服の仕立て上がり状態が画像化されるので、同じ和服用反物１であっても着用者によって変化する模様物の和服の合せ状態を確認しながら和服用反物１を選ぶことが可能である。また、和服用反物１の全体画像上の各パーツを修正すると、その修正された各パーツの配置状態に基づいて各パーツの合せ状態が更新され、和服の仕立て上がり状態の画像に反映されるので、さらに合せ状態を変化させながら和服用反物１を選ぶことが可能である。
【産業上の利用可能性】
【００４２】
本発明の模様物の和服用反物の流通システムは、振袖模様、江戸褄模様、訪問着（付下模様）、絵羽羽織、絵羽長じゅばんや絵羽コートなどの模様物の和服用反物の流通システムとして有用である。また、模様物以外の和服用反物にも適用可能である。
【図面の簡単な説明】
【００４３】
【図１】本発明の実施の形態における模様物の和服用反物の流通システムの全体構成図である。
【図２】反物用スキャナの斜視図である。
【図３】和服販売者装置の詳細な構成を示すブロック図である。
【図４】和服を構成する各パーツの和服用反物上への初期配置状態を示す図である。
【図５】寸法入力手段の例を示す図である。
【図６】合わせ状態の画像を表示した例を示す図である。
【符号の説明】
【００４４】
１  和服用反物
２  反物供給者装置
３  デジタル倉庫装置
４  和服販売者装置
５  インターネット
６  反物用スキャナ
７  データベース
１１  初期情報記憶手段
１２  寸法入力手段
１３  反物画像表示手段
１４  パーツ配置手段
１５  配置情報記憶手段
１６  合せ状態演算手段
１７  合せ画像表示手段
１８  配置修正手段
１９  バーコード読取装置
２１  掛衿
２２  衿
２３  左おくみ
２４  右おくみ
２５  左見頃
２５ａ  左前身頃
２５ｂ  左肩部分
２５ｃ  左後身頃
２６  右見頃
２６ａ  右前身頃
２６ｂ  右肩部分
２６ｃ  右後見頃
２７  右袖
２８  左袖
３１  正面画像
３２  背面画像
６０  フレーム
６１ａ  ローラ
６２  モータ
６３  カメラ
６４  コンピュータ
【図１】
2007226466.tif 000003
【図２】
2007226466.tif 000004
【図３】
2007226466.tif 000005
【図４】
2007226466.tif 000006
【図５】
2007226466.tif 000007
【図６】
2007226466.tif 000008